(57)【要約】【課題】視認性のよいオイルフィルタの状態表示装置を低コストで提供する。【解決手段】油圧インジケータ２０を建設機械の運転室１６内に配置し、エンジンルーム１３内のオイルフィルタ１８と運転室内の油圧インジケータを油圧ホース２１にて接続する。油圧インジケータは運転者の視界を妨げず且つ見やすい位置に配置する。運転者はエンジン回転中にいつでもオイルフィルタの目詰まり状態を確認でき、適切なフィルタメンテナンスを行うことができる。圧力センサの圧力検出値をディスプレイに表示するモニター装置などの電気的構成のものよりも低コストで視認性も良好である。【選択図】  図１
2004238853.tif 000002
【特許請求の範囲】
【請求項１】
油圧回路を備え、油圧回路中のオイルフィルタにオイルフィルタの内圧に応じて作動する油圧インジケータを設け、エンジンルーム内のオイルフィルタの内圧を油圧インジケータにより表示してオイルフィルタの目詰まり状態を視認できるようにした建設機械において、
油圧インジケータをエンジンルーム外に配置し、油圧インジケータとオイルフィルタをホースまたは固体配管にて接続し、エンジンルーム外で油圧インジケータの表示を視認できるように構成した建設機械におけるオイルフィルタの状態表示装置。
【請求項２】
上記油圧インジケータを建設機械の運転室内に配置し、運転席から油圧インジケータを目視できるようにした請求項１記載の建設機械におけるオイルフィルタの状態表示装置。
【請求項３】
上記油圧インジケータは直動式または回転式の油圧インジケータである請求項１または２記載の建設機械におけるオイルフィルタの状態表示装置。
【発明の詳細な説明】
【０００１】
【発明の属する技術分野】
この発明は、建設機械におけるオイルフィルタの状態表示装置に関するものであり、特に、視認性を改良したオイルフィルタの状態表示装置に関するものである。
【０００２】
【従来の技術】
従来の技術を図に従って説明する。図３及び図４は油圧ショベルの上部旋回体１を示し、２はエンジンルーム、３はカウンターウェイトであり、エンジンルーム２の前方中央にブーム４が配置され、ブーム４の左横に運転室５、右横に燃料タンク６が配置されている。
【０００３】
エンジンルーム２内にはエンジン、油圧ポンプ及び油圧モータやその他の補機（図示せず）が収められている。エンジンルーム２内の７はオイルフィルタであり、オイルフィルタ７の内部にはフィルタエレメント（図示せず）が装着されており、油圧回路の作動油はオイルフィルタ７を通過する際にフィルタエレメントによって塵などの異物が捕捉され、異物を除去された作動油が油圧回路内を循環する。オイルフィルタ７の上部にはオイルフィルタ７の内圧に応じて動作する機械式の油圧インジケータ８が取り付けられており、フィルタエレメントが目詰まりして内圧が許容範囲を超えて上昇すると、油圧インジケータ８の指示が警告表示に変わってフィルタエレメントの目詰まりを認識することができる。
【０００４】
上記の構成においては、オイルフィルタ７の目詰まり点検にあたってエンジンルーム２のカバーを開けて点検しなければならないが、図５及び図６に示すようにエンジンルーム２とブーム４との間にオイルフィルタ７を配置して、オイルフィルタ７上の油圧インジケータ８を前方の運転席から目視できるようにしたものも知られている。
【０００５】
また、ＬＣＤディスプレイやＬＥＤなどの警告灯を配列した表示盤を運転室内に設けて、油圧、油温、水温、オイルフィルタやエアフィルタの目詰まり状態など種々の点検項目を集中表示できるようにした建設機械（例えば特許文献１参照）も知られている
【０００６】
【特許文献１】特開平６−２５７１８９号公報（段落番号０００３、０００４）
【０００７】
【発明が解決しようとする課題】
オイルフィルタ及び油圧インジケータをエンジンルームの外に配置して油圧インジケータを運転席から目視できるようにする場合、運転室内には種々の操作レバーや操作パネルが配置されているので体積の大きいオイルフィルタを配置する空間がなく、また、運転室の横にブームが配置されていることからオイルフィルタの配置が制約され、図５及び図６のようにブーム４の後方などにオイルフィルタ７を配置することになる。したがって、運転席からオイルフィルタ上の油圧インジケータ８を見るにあたって斜め後方を振り向かねばならず、距離も離れているので視認性がよくないという問題がある。
【０００８】
また、オイルフィルタの目詰まり状態や各種の機器の状態を集中表示できる集中表示装置を運転室内に配置すれば、建設機械の稼動中に機器の状態を随時確認できるが、この種の集中表示装置は圧力センサや温度センサ、マイクロプロセッサに加えて、ＬＥＤあるいはビデオプロセッサとディスプレイなどを用いて各種の情報を電気的に処理する構成であるので、システム構成が複雑化して高コストとなるという問題がある。
【０００９】
そこで、視認性に優れたオイルフィルタの状態表示装置を低コストで提供するために解決すべき技術的課題が生じてくるのであり、本発明は上記課題を解決することを目的とする。
【００１０】
【課題を解決するための手段】
この発明は、上記目的を達成するために提案するものであり、油圧回路を備え、油圧回路中のオイルフィルタにオイルフィルタの内圧に応じて作動する油圧インジケータを設け、エンジンルーム内のオイルフィルタの内圧を油圧インジケータにより表示してオイルフィルタの目詰まり状態を視認できるようにした建設機械において、油圧インジケータをエンジンルーム外に配置し、油圧インジケータとオイルフィルタをホースまたは固体配管にて接続し、エンジンルーム外で油圧インジケータの表示を視認できるように構成した建設機械におけるオイルフィルタの状態表示装置を提供するものである。
【００１１】
また、上記油圧インジケータを建設機械の運転室内に配置し、運転席からインジケータを目視できるようにした建設機械におけるオイルフィルタの状態表示装置を提供するものである。
【００１２】
また、上記油圧インジケータは直動式または回転式の油圧インジケータである建設機械におけるオイルフィルタの状態表示装置を提供するものである。
【００１３】
【発明の実施の形態】
以下、この発明の実施の一形態を図に従って詳述する。図１及び図２は油圧ショベルの上部旋回体１１を示し、ベースフレーム１２の後半部をエンジンルーム１３が占めており、エンジンルーム１３の後ろにカウンターウェイト１４が取り付けられている。ベースフレーム１２の前部中央にはブーム１５が取り付けられており、ブーム１５の左横に運転室１６が配置され、右横に燃料タンク１７が配置されている。
【００１４】
エンジンルーム１３内にはエンジン、油圧ポンプ及び油圧モータやその他の補機（図示せず）が収められている。エンジンルーム１３内の１８は油圧回路中に設けたオイルフィルタであり、図示は省略するが底面の作動油入り口と作動油出口とに油圧管路が接続され、作動油入り口から流入した作動油はオイルフィルタ１８内のフィルタエレメントを通過して作動油出口から出て行き、作動油中の異物はフィルタエレメントに捕捉される。
【００１５】
オイルフィルタ１８の上面にはホースニップル１９が取り付けられており、ホースニップル１９と運転室１６内の油圧インジケータ２０を油圧ホース２１にて連結している。油圧ホース２１はエンジンルーム１３内の機器に干渉しないように配管され、運転室１６の床下を通って運転席２２の右横前に配置した油圧インジケータ２０へ接続されている。
【００１６】
油圧インジケータ２０は運転室１６の床面に取り付けたステー２３にて支持されており、運転者の視界を妨げず、且つ視線を斜め下に落としたときに目に入る高さに配置してある。また、油圧インジケータ２０をオイルフィルタ１８から離して配置することによって油圧インジケータ２０がオイルフィルタ１８の内圧よりも低い値を指示しないように、予め油圧インジケータ２０を較正しておくことによりオイルフィルタ１８の正確な内圧が表示される。油圧インジケータ２０は、公知のばねオフセットピストン式油圧インジケータまたはダイアル式油圧インジケータなどを用い、目盛り表示は数値表示であっても色分け表示であってもよい。
【００１７】
油圧ショベル等の建設機械のエンジンを始動して油圧ポンプにより作動油が管路を循環すると、オイルフィルタ１８の内圧が上昇し、油圧ホース２１によりオイルフィルタ１８へ接続された油圧インジケータ２０がオイルフィルタ１８の内圧を表示する。運転席２２上の運転者は作業中にいつでも油圧インジケータ２０をみてオイルフィルタ１８の状態を把握でき、フィルタエレメントの目詰まりによりオイルフィルタ１８の内圧が上昇して油圧インジケータ２０の目盛りが目詰まりを指示したときは、運転を中止してオイルフィルタ交換などの適切な処置をとることができ、目詰まりに気づかず運転を続行して油圧系に過負荷を与えたり、故障を引き起こしたりする虞が軽減される。
【００１８】
尚、この発明は上記の実施形態に限定するものではなく、この発明の技術的範囲内において種々の改変が可能であり、この発明がそれらの改変されたものに及ぶことは当然である。
【００１９】
【発明の効果】
以上説明したように、本発明の建設機械におけるオイルフィルタの状態表示装置は、オイルフィルタと油圧インジケータを分離し、油圧インジケータをエンジンルーム外に配置したので、オイルフィルタをエンジンルーム内に配置したままエンジンルームのカバーを開けなくともオイルフィルタの目詰まりを確認できる。また、油圧インジケータを運転室内に配置することにより、運転者は運転操作中に常時オイルフィルタの目詰まりを確認できてメンテナンスが容易化する。また、油圧にて作動する油圧インジケータとオイルフィルタとを配管接続してオイルフィルタの状態表示装置を構成することにより、圧力センサとディスプレイなどを用いた表示装置よりも構成が簡素化し、視認性のよいオイルフィルタの状態表示装置を低コストで提供することができる。
【図面の簡単な説明】
【図１】本発明の実施の一形態を示し、油圧ショベルの上部旋回体の側面図。
【図２】本発明の実施の一形態を示し、油圧ショベルの上部旋回体の平面図。
【図３】従来例を示し、油圧ショベルの上部旋回体の側面図。
【図４】従来例を示し、油圧ショベルの上部旋回体の平面図。
【図５】従来例を示し、油圧ショベルの上部旋回体の側面図。
【図６】従来例を示し、油圧ショベルの上部旋回体の平面図。
【符号の説明】
１１          上部旋回体
１３          エンジンルーム
１５          ブーム
１６          運転室
１８          オイルフィルタ
１９          ホースニップル
２０          油圧インジケータ
２１          油圧ホース
２２          運転席
２３          ステー
【図１】
2004238853.tif 000003
【図２】
2004238853.tif 000004
【図３】
2004238853.tif 000005
【図４】
2004238853.tif 000006
【図５】
2004238853.tif 000007
【図６】
2004238853.tif 000008